(57)【要約】【課題】  投球者の投法（投球フォーム）を矯正する投法矯正具であって、投法を矯正するために、投球者の体の大きさや投球者が右投げか左投げかに応じて投法矯正具を変更する必要があるという課題がある。【解決手段】  ボール状部材であって、前記ボール状部材の中心部に貫通孔を備え、貫通孔に内接設置した筒状ガイドを有し、前記筒状ガイド内に挿入可能な紐状部材と紐状部材を固定するための固定具を有し、紐状部材と地平面とのなすべき角度を表示する角度表示具を有するようにした投法矯正具。【選択図】    図１
2019013626.tif 000002
【特許請求の範囲】
【請求項１】
ボール状部材であって、前記ボール状部材の中心部に貫通孔を備えることを特徴とする、投法矯正具。
【請求項２】
前記請求項１記載の貫通孔に内接設置した筒状ガイドを有し、前記筒状ガイド内に挿入可能な紐状部材を備えることを特徴とする投法矯正具。
【請求項３】
請求項１および請求項2記載の投法矯正具において、前記紐状部材の少なくとも一端に、紐状部材を固定するための固定具を有することを特徴とする投法矯正具。
【請求項４】
請求項１および請求項２記載の投法矯正具において、紐状部材と地平面とのなすべき角度を表示する角度表示具を有することを特徴とする投法矯正具。
【請求項５】
請求項１と請求項２または請求項３または請求項４のいずれかまたは複数を含むことを特徴とする投法矯正具。
【発明の詳細な説明】
【技術分野】
【０００１】
本発明は、ボールを投げる投法を矯正する投法矯正具に関するものである。
【背景技術】
【０００２】
従来、この種の投法矯正具は、例えば、特許文献１参照に開示された投法矯正具では投球者の背中に装着可能な一面状のボードと投球者の投球側及び逆側の肩と投球者の腰部を固定するように成り、一面状のボードの平面形状を利用して投法を矯正するようになっている。
【先行技術文献】
【特許文献】
【０００３】
【特許文献１】実用新案登録第３２０３９７号
【発明の概要】
【発明が解決しようとする課題】
【０００４】
上記の特許文献１記載の投法矯正具は投球者の背中に装着可能な一面状のボードを両肩及び腰に固定し、ボード形状による投球者の投球動作の制約を利用して、投法を矯正するために、投球者の体の大きさや投球者が右投げか左投げかに応じてボード形状を変更する必要があるという課題がある。
また、投球者は投球者の両側および腰をボードで固定して投球することを強いられるために、特に発育途中の年少の投球者には体に及ぶ影響が出やすく、怪我の原因になりかねないという課題がある。
【０００５】
本発明はこのような課題に鑑みてなされたものであり、簡単な構造で投球者の体の大きさや右投げか左投げかによらず利用できる投法矯正具を提供することを目的とする。
【課題を解決するための手段】
【０００６】
上記課題を解決するために、本発明に係る投力矯正具は、ボール状部材であって、前記ボール状部材の中心部に貫通孔を備える事を特徴としている。
【０００７】
このようにボール状部材の中心部を貫通した貫通孔に紐状部材を通し、ボール状部材を紐状部材に対し自由に移動できるようにして、ボールを遠投するに適した角度で紐状部材を張り、その角度でボール投げ動作を行うだけで、投球者の体の大きさ及び右投げか左投げによらず投法を矯正することができる。
【０００８】
また、本発明に係る投法矯正具は、貫通孔に内接設置した筒状ガイドを有し、前記筒状ガイド内に紐状部材を挿入したことを特徴としている。
【０００９】
このように貫通孔に内接設置した筒状ガイド内に紐状部材を通すことで、投法矯正動作を繰り返し行うことによる貫通孔の変形を防止することができる。
【００１０】
更に本発明に係る投法矯正具は、前記紐状部材の少なくとも一端に、紐状部材を固定するための固定具を有することを特徴としている。
【００１１】
このように紐状部材の少なくとも一端に、紐状部材を固定するための固定具を有することで、投法矯正具を野外でも容易に設置できる。
【００１２】
また本発明に係る投法矯正具は、紐状部材と地平面とのなすべき角度を表示する角度表示具を有することを特徴としている。
【００１３】
このように紐状部材の少なくとも一端に、紐状部材と地平面とのなすべき角度を表示する角度表示具を有することで、紐状部材を投法矯正に最も効果的な角度に確実かつ容易に設置することができる。
【発明の効果】
【００１４】
本発明によれば、簡単な構造で投球者の体の大きさや右投げか左投げかによらず安全に利用できる投法矯正具を提供できる。
【図面の簡単な説明】
【００１５】
【図１】本発明の投法矯正具の斜視図である。
【図２】本発明の投球矯正具の固定具を示す図である。
【図３】本発明の投球矯正具の角度表示具を示す図である。
【図４】本発明の投法矯正具の第一の実施形態を示す図である。
【図５】本発明の投法矯正具の左右投げにかかわらない効果を示す図である。
【図６】本発明の投法矯正具の体の大きさにかかわらない効果を示す図である。
【発明を実施するための形態】
【００１６】
以下、図面を参照しながら、本発明の実施形態について説明する。説明の理解を容易にするため、各図面において同一の構成要素に対しては可能な限り同一の符号を付して、重複する説明は省略する。
【００１７】
図１は本発明の投法矯正具の第一の実施形態の斜視図である。図１において、１はボール状部材、２は貫通孔、３は筒状ガイドである。ここでボール状部材１は投げうる部材であれば球形に限定されず、楕円形状でもよく、具体的にはソフトボール、ラグビーボール、テニスボール、ドッジボール、バスケットボール、バレーボールのような形状のものを用いることができる。また、筒状ガイドも断面が円筒形状に限らず、多角形状であっても良い。また貫通孔２はその断面は円に限定することなく多角形であってもよい。このようになっているので、筒状ガイドに紐状部材（図示せず）を挿入し、ボール状部材を紐状部材に沿って自由に移動させることができる。図２は固定具を示す図で、固定具１１の一方が尖った尖形状部１２を有し、固定具の他方は円弧部１３を有するようになっている。固定具がこのように形成されているので、固定具の尖形状部１２を地面や強固に固定された固定部に突き刺し固定することが可能で、固定具１１の円弧部１３に紐状部材を通し、固定することで、紐状部材に沿ってボール状部材を移動させることができる。固定具も紐状部材を固定できれば、特に形状は図２に限定する必要はなく、例えばＵ字型（図示せず）でＵ字の開放部を設置部に固定するような形状などでも良い。
また、貫通孔２に設けた筒状ガイド３により、貫通孔２と紐状部材が摩擦することによる貫通孔2の変形を防止することができ、投球矯正具の耐久性を向上できるより望ましい形態であるが、貫通孔２に筒状ガイド３を設けることなくても、投球矯正具を構成することもできる。
更に図３に示す角度表示器２０は、最適投球角度の上限表示２６、最適投球角度の下限表示２５、及び水平を示す水平表示２３を表示した表示器で、角度表示器の中央を表示器が回転自由に紐状部材に設置可能な設置具２２を有し、設置具２２から水平表示２３に垂直な位置に錘設置穴２４が形成され、錘設置穴２４に錘２８が紐２７で接続され
ている。角度表示器２０が以上のようになっているので、角度表示器を紐状部材に設置するだけで、投法矯正に最適な設置角度が分かり、容易に投法矯正具を望ましい角度に設置できる。
本実施例の角度表示器では、最適投球角度の上限表示２６および最適投球角度の加減表示２５を表記するようにしているが、単に最適投球角度の表示のみとしてもよい。また、水平表示２３は表示しなくてもよい。
このように投法矯正具が構成されているので投法矯正に最適な角度で紐状部材を張り、その紐状部材に沿って移動可能なボール状部材を自由に投げる動作が可能で、一旦投げられたボール状部材は再び紐状部材に沿って落下してくるために、投法者は同じ場所で何度も投法を繰り返し矯正訓練することができる。
図４は投法矯正具の第一の実施形態を示す図であり、本発明の投法矯正具の第一の実施例を用いて投球者がボール状部材を投げている様子を示す。なお、図４及び図５、図６は守秘義務のもと閉鎖空間内で投法矯正具を実施したものである。図４に示すように、投球者は投げる方の手（左右どちらでも可）でボール状部材を持つ。そのとき、紐状部材に指がかからないようにして持ち、ボール状部材を投げれば投法矯正動作が訓練できる。
図５は本発明の投法矯正具の左右投げにかかわらない効果を示す図である。図５では複数の投球者が本投法矯正具を使用する前後でボール遠投距離の変化を示している。また図５では右投げを●、左投げを◆で表記しており、投球者は身長１２０ｃｍから１６０ｃｍの児童であり、使用したボール状部材はソフトボール用ボールで、紐状部材を地平線に対し４５度近傍に張り、同一の投法矯正具を用い、男女複数の児童によりその効果を検証したものである。図５から、本投法矯正具を利用することにより投法が矯正でき体の大きさや右投げ（●）か左投げ（◆）によらず、ボール遠投距離が伸びていることが分かる。
また図６は本発明の投法矯正具の投球者の体の大きさにかかわらない効果を示す図である。図６では、図５と同じデータを身長１２０ｃｍから身長１６０ｃｍまでをそれぞれ１０ｃｍの幅で層別して、身長による効果の特徴を抽出したものであるが、図６から身長（体の大きさ）によらず、本発明の投法矯正具を使用して、投法を矯正すれば、ボール投げの遠投距離が伸びることが分かる。
【産業上の利用可能性】
【００１８】
本発明の投法矯正具は、投球者の投球フォームを正しく矯正するのに好適であり、投球者の体格や右投げまたは左投げによらず正しいフォームで適用できる。
【符号の説明】
【００１９】
１  ボール状部材
２  貫通孔
３  筒状ガイド
１１  固定具
１２  尖形状部
１３  円弧部
２０  角度表示具
２１  角度表示板
２２  設置部
２３  水平表示
２４  錘設置穴
２５  最適投球角度の上限表示
２６  最適投球角度の下限表示
２７  紐
２８  錘
【図１】
2019013626.tif 000003
【図２】
2019013626.tif 000004
【図３】
2019013626.tif 000005
【図４】
2019013626.tif 000006
【図５】
2019013626.tif 000007
【図６】
2019013626.tif 000008